(57)【要約】      （修正有）【課題】部品点数を減らすことができ、しかも、組み付けが容易なトリガー式スプレイヤー及びその製造方法を提供する。【解決手段】チューブ部９から液体が導入されるシリンダ部３と、シリンダ部３が内蔵された本体部１と、本体部１に枢着されたトリガー部４と、トリガー部４に形成されたノズル窓部４ａと、本体部１に取り付けられトリガー部４に当接されるスプリング６と、本体部１に取り付けられ容器の口部に取り付け可能なキャップ部２とが一体となった第１部材、シリンダ部３内を摺動可能なピストン部１３と、連続し屈曲可能な液体流通部１２とその先端に設けられたスピンナー部１４と、ノズル部１５とが一体となった第２部材、シリンダ部３の下端部に収容されシリンダ部３内への液体の流路を開閉するＦバルブ７ａ及びピストン部１３に収容され液体流通部１２内への液体の流路を開閉するＳバルブ７ｂからなるトリガー式スプレイヤー１００である。【選択図】図１
2013132592.tif 000002
【特許請求の範囲】
【請求項１】
チューブ部と、該チューブ部から液体が導入されるシリンダ部と、該シリンダ部が内蔵された本体部と、該本体部に枢着されたトリガー部と、該トリガー部に形成されたノズル窓部と、前記本体部に取り付けられ前記トリガー部に当接されるスプリングと、前記本体部に取り付けられ容器の口部に取り付け可能なキャップ部と、が一体となった第１部材、
前記シリンダ部内を摺動可能なピストン部と、該ピストン部に連続し屈曲可能な液体流通部と、該液体流通部の先端に設けられたスピンナー部と、該スピンナー部に取り付けられるノズル部と、が一体となった第２部材、
前記シリンダ部の下端部に収容され前記シリンダ部内への前記液体の流路を開閉するＦバルブ、及び、
前記ピストン部に収容され前記液体流通部内への前記液体の流路を開閉するＳバルブ、
からなり、
前記ノズル窓部に前記ノズル部が嵌合されるトリガー式スプレイヤー。
【請求項２】
前記トリガー部には前記ノズル窓部を封止するノズル蓋が取り付けられている請求項１記載のトリガー式スプレイヤー。
【請求項３】
前記トリガー部には引っ掛け部が内設されており、
該引っ掛け部に前記スプリングが屈曲した状態で当接される請求項１又は２に記載のトリガー式スプレイヤー。
【請求項４】
前記第１部材及び前記第２部材がいずれも合成樹脂であり、射出成形により製造されたものである請求項１〜３のいずれか１項に記載のトリガー式スプレイヤー。
【請求項５】
請求項１〜４のいずれか１項に記載のトリガー式スプレイヤーの製造方法であって、
前記第１部材の前記シリンダ部に前記Ｆバルブを取り付け、
前記第２部材の前記ピストン部に前記Ｓバルブを取り付け、
前記シリンダ部に前記第２部材の前記ピストン部を圧入し、
前記ノズル部を前記ノズル窓部に嵌合することにより得られるトリガー式スプレイヤーの製造方法。
【発明の詳細な説明】
【技術分野】
【０００１】
本発明は、トリガー式スプレイヤー及びその製造方法に関し、より詳しくは、部品点数を減らすことができ、しかも、組み付けが容易なトリガー式スプレイヤー及びその製造方法に関する。
【背景技術】
【０００２】
容器に収容された液体を所望の位置に吹き付ける装置として従来からトリガー式スプレイヤーが知られている。
かかるトリガー式スプレイヤーは、トリガーを回動することによって、内蔵されたポンプを加圧、減圧させ、その圧力変化を利用して液体を噴霧させる装置であり、近年、蓄圧式のものも含めて多くのタイプが開発されている。
【０００３】
例えば、容器本体の口部に取り付けられるキャップと、該キャップに係合されるシリンダ部とカバー部材とを有するベース本体と、該シリンダ部内を摺動可能なピストン部と、該ピストン部を上下に摺動させるトリガー構造体とを備えたトリガー式ポンプディスペンサー（例えば、特許文献１参照）、容器本体の口部に取り付け可能なボディ部と、該ボディ部に一体化して設けられたシリンダ部と、該シリンダ部内を摺動可能なピストン部と、該ピストン部を上下に摺動させるためにボディ部に枢着された天秤アーム部と、該天秤アーム部を回動させるトリガー部と、天秤アーム部を介してトリガー部を復帰させるためのスプリング部と、ボディ部に取り付けられるカバー部材とを備えたトリガー式ポンプディスペンサー（例えば、特許文献２参照）、容器キャップに取り付けられるボディ体と、該ボディ体に取り付けられたシリンダ構造体と該シリンダ構造体に備わったシリンダ部の外壁面を摺動可能なピストン体とボディ体に回動可能に取り付けられたトリガー体とよりなり、トリガー体を引き込むことによりシリンダ部内の液体をピストン体で加圧し、シリンダ部に連通するノズル部から噴出させるトリガースプレイヤー（例えば、特許文献３参照）等が知られている。
【先行技術文献】
【特許文献】
【０００４】
【特許文献１】特開２００８−３６４８８号公報
【特許文献２】特開２０１０−１３７１２９号公報
【特許文献３】特開２０１１−２０６７４６号公報
【発明の概要】
【発明が解決しようとする課題】
【０００５】
しかしながら、上記特許文献１〜３に記載のトリガー式スプレイヤーを含む従来のトリガー式スプレイヤーは、いずれも部品点数が多く、その分、組み付け工数が増え、且つ組み付け自体も複雑である。
【０００６】
本発明は上記事情に鑑みてなされたものであり、部品点数を極力減らすことができ、しかも、組み付けが容易なトリガー式スプレイヤー及びその製造方法を提供することを目的とする。
【課題を解決するための手段】
【０００７】
本発明者は、上記課題を解決するため鋭意検討したところ、部品点数を第１部材、第２部材、Ｆバルブ及びＳバルブの少なくとも４点とすることにより、上記課題を解決し得ることを見出し、本発明を完成するに至った。
【０００８】
本発明は、（１）チューブ部と、該チューブ部から液体が導入されるシリンダ部と、該シリンダ部が内蔵された本体部と、該本体部に枢着されたトリガー部と、該トリガー部に形成されたノズル窓部と、本体部に取り付けられトリガー部に当接されるスプリングと、本体部に取り付けられ容器の口部に取り付け可能なキャップ部と、が一体となった第１部材、シリンダ部内を摺動可能なピストン部と、該ピストン部に連続し屈曲可能な液体流通部と、該液体流通部の先端に設けられたスピンナー部と、該スピンナー部に取り付けられるノズル部と、が一体となった第２部材、シリンダ部の下端部に収容されシリンダ部内への液体の流路を開閉するＦバルブ、及び、ピストン部に収容され液体流通部内への液体の流路を開閉するＳバルブ、からなり、ノズル窓部にノズル部が嵌合されるトリガー式スプレイヤーに存する。
【０００９】
本発明は、（２）トリガー部にはノズル窓部を封止するノズル蓋が取り付けられている上記（１）記載のトリガー式スプレイヤーに存する。
【００１０】
本発明は、（３）トリガー部には引っ掛け部が内設されており、該引っ掛け部にスプリングが屈曲した状態で当接される上記（１）又は（２）に記載のトリガー式スプレイヤーに存する。
【００１１】
本発明は、（４）第１部材及び第２部材がいずれも合成樹脂であり、射出成形により製造されたものである上記（１）〜（３）のいずれか１つに記載のトリガー式スプレイヤーに存する。
【００１２】
本発明は、（５）上記（１）〜（４）のいずれか１つに記載のトリガー式スプレイヤーの製造方法であって、第１部材のシリンダ部にＦバルブを取り付け、第２部材のピストン部にＳバルブを取り付け、シリンダ部に第２部材のピストン部を圧入し、ノズル部をノズル窓部に嵌合することにより得られるトリガー式スプレイヤーの製造方法に存する。
【発明の効果】
【００１３】
本発明のトリガー式スプレイヤーは、部品点数を第１部材、第２部材、Ｆバルブ及びＳバルブの少なくとも４点とすることにより、従来のトリガー式スプレイヤーよりも極端に部品点数を減らすことができる。
これにより、極めて低コストでトリガー式スプレイヤーとすることができる。
また、部品点数が少ないので、組み付け工程も少なく、容易に組み付けることが可能となる。
更に、ＦバルブとＳバルブとを同じのものとすることにより、全体として、３種類の部品とすることができる。
【００１４】
本発明のトリガー式スプレイヤーにおいては、ノズル窓部を封止するノズル蓋が取り付けられている場合、例えば不使用時に、該ノズル蓋をノズル窓部に嵌め込むことにより液体の漏れを防止することができる。
【００１５】
本発明のトリガー式スプレイヤーにおいては、本体部に取り付けられたスプリングを、引っ掛け部に屈曲した状態で当接させることにより、スプリングのバネ力を十分に発揮することができる。
これにより、トリガー部を手前に引いた後、トリガー部を解放すると、トリガー部はスプリングのバネ力により元の位置に戻ることになる。
【００１６】
本発明のトリガー式スプレイヤーにおいては、第１部材及び第２部材がいずれも合成樹脂であり、射出成形により製造されたものである場合、複雑な構造であっても容易に量産することができる。
【００１７】
本発明のトリガー式スプレイヤーの製造方法においては、第１部材のシリンダ部にＦバルブを取り付け、第２部材のピストン部にＳバルブを取り付け、シリンダ部に第２部材のピストン部を圧入し、ノズル部をノズル窓部に嵌合することにより得られるので、組み付けが極めて容易である。
【図面の簡単な説明】
【００１８】
【図１】図１の（ａ）は、本発明に係るトリガー式スプレイヤーの一実施形態を示す断面図であり、図１の（ｂ）は、その側面図である。
【図２】図２は、本実施形態に係るトリガー式スプレイヤーの第１部材を示す断面図である。
【図３】図３の（ａ）は、本実施形態に係るトリガー式スプレイヤーの第２部材を示す断面図であり、図３の（ｂ）は、その側面図である。
【発明を実施するための形態】
【００１９】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２０】
図１の（ａ）は、本発明に係るトリガー式スプレイヤーの一実施形態を示す断面図であり、図１の（ｂ）は、その側面図である。
図１の（ａ）に示すように、本実施形態に係るトリガー式スプレイヤー１００は、チューブ部９と、該チューブ部９から液体が導入されるシリンダ部３と、該シリンダ部３が内蔵された本体部１と、該本体部１に枢着されたトリガー部４と、該トリガー部４に形成されたノズル窓部４ａと、本体部１に取り付けられトリガー部４に当接されるスプリング６と、本体部１に取り付けられ容器の口部に取り付け可能なキャップ部２と、シリンダ部３内を摺動可能なピストン部１３と、該ピストン部１３に連続し屈曲可能な液体流通部１２と、該液体流通部１２の先端に設けられたスピンナー部１４と、該スピンナー部１４に取り付けられるノズル部１５と、シリンダ部３の下端部に収容されシリンダ部３内への液体の流路を開閉するＦバルブ７ａと、ピストン部１３に収容され液体流通部１２内への液体の流路を開閉するＳバルブ７ｂと、からなる。
【００２１】
ここで、上記トリガー式スプレイヤー１００は、チューブ部９と、シリンダ部３と、本体部１と、トリガー部４と、ノズル窓部４ａと、スプリング６と、キャップ部２とが、同体化されており、ピストン部１３と、液体流通部１２と、スピンナー部１４と、ノズル部１５とが、同体化されている。
すなわち、トリガー式スプレイヤー１００は、チューブ部９と、シリンダ部３と、本体部１と、トリガー部４と、ノズル窓部４ａと、スプリング６と、キャップ部２とが、一体となった第１部材、ピストン部１３と、液体流通部１２と、スピンナー部１４と、ノズル部１５とが、一体となった第２部材、Ｆバルブ７ａ及びＳバルブ７ｂの４点からなる。
【００２２】
上記トリガー式スプレイヤー１００によれば、部品点数を第１部材、第２部材、Ｆバルブ７ａ及びＳバルブ７ｂの少なくとも４点とすることにより、従来のトリガー式スプレイヤーよりも極端に部品点数を減らすことができる。
これにより、極めて低コストのトリガー式スプレイヤー１００とすることができる。
更にＦバルブとＳバルブとを同じのものとすることにより、全体として、３種類の部品とすることができる。
また、部品点数が少ないので、組み付け工程も少なく、容易に組み付けることが可能となる。
【００２３】
図２は、本実施形態に係るトリガー式スプレイヤーの第１部材を示す断面図である。
図２に示すように、第１部材５０は、チューブ部９と、シリンダ部３と、本体部１と、トリガー部４と、ノズル窓部４ａと、スプリング６と、キャップ部２とからなる。
【００２４】
第１部材５０において、本体部１の下部には、キャップ部２が設けられており、該キャップ部２は、液体を収容可能な図示しない容器の口部に取り付けることができる。
すなわち、トリガー式スプレイヤー１００は、キャップ部２を介して、市販の容器に対して着脱可能となっている。
なお、容器は、口部にトリガー式スプレイヤー１００のキャップ部２が取り付け可能であれば、形状を問わない。
【００２５】
第１部材５０において、本体部１には、中空円筒状のシリンダ部３が内蔵されている。なお、シリンダ部３は、キャップ部２の内側に配設される。
かかるシリンダ部３の下端には、シリンダ部３に連通するように、チューブ部９が垂下形成されている。
なお、チューブ部９は、図示しない容器内の液体中に先端が浸漬されている。
これにより、該チューブ部９から容器内の液体がシリンダ部３に導入されるようになっている。
【００２６】
第１部材５０において、本体部１は、前端に、Ｕ字状に屈曲した板状のスプリング６が取り付けられている。
該スプリング６は、後述するトリガー部４の引っ掛け部４ｂに当接されるようになっている（図１参照）。
【００２７】
本体部１は、後方に湾曲した突起部１ａを備え、該突起部１ａの後端に枢着部１ｂが設けられている。
本体部１は、突起部１ａを備えることにより、トリガー式スプレイヤー１００を把持する際に指部（例えば、トリガー部４を中指や薬指で引く場合、親指の付け根付近）を突起部１ａに引掛けることができる。
したがって手を突起部１ａに当接させることにより、トリガー式スプレイヤー１００を持ちやすくなり且つ滑りにくくなる。
また、枢着部１ｂには、トリガー部４が枢着されており、トリガー部４は、本体部１に対して、矢印方向に（図２参照）、回動可能となっている。
【００２８】
第１部材５０において、トリガー部４には、トリガー部４を閉じた場合にスプリング６が屈曲した状態で当接される引っ掛け部４ｂと、第２部材のピストン部に枢着される穴部１６ａとが内設されている。
【００２９】
また、トリガー部４には、第２部材のノズル部１５が嵌合されるノズル窓部４ａが形成されている。
ノズル部１５は、ノズル窓部４ａに嵌合されることにより、位置決めされる。
なお、ノズル窓部４ａには、スピンナー部１４から噴霧される液体を例えば泡状にするフラップが設けられていても当然よい。
【００３０】
さらに、トリガー部４には、ノズル窓部４ａを封止するノズル蓋２０が更に取り付けられている。
ノズル蓋２０は、ノズル窓部４ａに嵌合することにより、ノズル窓部４ａを封止することができる。
これにより、例えば不使用時に、該ノズル蓋２０をノズル窓部４ａに嵌め込むことにより、液体が漏れることを確実に防止できる。
【００３１】
図３の（ａ）は、本実施形態に係るトリガー式スプレイヤーの第２部材を示す断面図であり、図３の（ｂ）は、その側面図である。
図３に示すように、第２部材５１は、ピストン部１３と、液体流通部１２と、スピンナー部１４と、ノズル部１５とからなる。
【００３２】
第２部材５１において、ピストン部１３は、上部の両側の外壁に、上述したトリガー部４の穴部１６ａに枢着される凸部１６ｂが一対設けられている。
これにより、トリガー部４の回動に連動して、ピストン部１３が押し下げ或いは押し上げられシリンダ部３を摺動することになる。
また、ピストン部１３は、内部が液体の流路となっている。
このため、ピストン部１３がシリンダ部３内を下方に摺動することにより、シリンダ部３内の液体がピストン部１３内の流路を通って、ピストン部１３に連続する液体流通部１２に流通されることになる。
【００３３】
液体流通部１２は、屈曲可能となっており、外壁に複数のリブ１２ａが設けられている。
これにより、屈曲しても内部の通路が潰れなく、しかも液体流通部１２の強度が向上する。
また、液体流通部１２は、先端にスピンナー部１４が設けられており、該スピンナー部１４に取り付けられるノズル部１５が付設されている。
【００３４】
ここで、本実施形態に係るトリガー式スプレイヤー１００において、上述した第１部材５０及び第２部材５１は、いずれもＰＥ、ＰＰ、ＰＯＭ（ポリオキシメチレン）等の合成樹脂であり、射出成形により製造されたものとなっている。
したがって、各要素部品同士のガタツキがなく、また複雑な構造であっても容易に製造することができ、大量生産することも可能である。
【００３５】
トリガー式スプレイヤー１００において、シリンダ部３の下端部に収容され、シリンダ部３内への液体の流路を開閉するＦバルブ７ａが内設されている。
これにより、容器内の液体がシリンダ部３内へ導入される場合には、Ｆバルブ７ａが流路を開き、液体が噴霧される場合には、Ｆバルブ７ａが流路を閉じるようになっている。
また、ピストン部１３に収容され、液体流通部１２内への液体の流路を開閉するＳバルブ７ｂが内設されている。
これにより、ピストン部１３内の液体が押し出される場合には、その勢いにより、Ｓバルブ７ｂが流路を開き、押し出された後は、Ｓバルブ７ｂが流路を閉じるようになっている。
【００３６】
したがって、トリガー式スプレイヤー１００においては、Ｆバルブ７ａ及びＳバルブ７ｂを備えることにより、液体の逆流を抑制し、スムーズに液体を噴霧することが可能となる。
尚、ＦバルブとＳバルブとを同じのものとすることが可能で、その場合は、全体として、３種類の部品とすることができる。
【００３７】
次に、本実施形態に係るトリガー式スプレイヤー１００の作用について説明する。
本実施形態に係るトリガー式スプレイヤー１００においては、トリガー部４を手前に引くことにより、トリガー部４が下方に移動する。
このとき、トリガー部４の穴部１６ａがピストン部１３の凸部１６ｂに枢着されているので、トリガー部４と共にピストン部１３が下降する。
ピストン部１３が下降すると、シリンダ部３内の圧が高まりＳバルブ７ｂが開いて液体が押し出される。
該液体が液体流通部１２の内部を流通してスピンナー部１４からノズル部１５を介して外部に噴霧されるようになっている。
【００３８】
液体の噴霧後、トリガー部４を手前に引いた状態から解放すると、トリガー部４はスプリング６のバネ力（すなわち復帰力）により元の位置に戻り、ピストン部１３が上昇すると共に、Ｓバルブ７ｂが流路を閉じる。
これにより、液体の噴霧が停止され、停止後の液だれも防止される。
一方、ピストン部１３が上昇すると、シリンダ部３内の空間が負圧となるので、負圧を解消するためにＦバルブ７ａが流路を開き、容器内の液体が吸上げられ、シリンダ部３内に液体が充填されることになる。
【００３９】
トリガー式スプレイヤー１００においては、このような操作が繰り返されることにより、液体が、ノズル部１５から繰り返して噴霧されることになる。
このように、上記トリガー式スプレイヤー１００は、簡単な構造でありながら、確実に液体を噴霧させることが可能である。
【００４０】
次に、本実施形態に係るトリガー式スプレイヤー１００の製造方法について説明する。
まず、第１部材５０のシリンダ部３に、Ｆバルブ７ａを取り付ける。
次いで、第２部材５１のピストン部１３に、Ｓバルブ７ｂを取り付ける。
そして、第１部材５０のシリンダ部３に、第２部材５１のピストン部１３を圧入する。
【００４１】
その後、第２部材５１に蓋をするようにトリガー部４を図２でいう矢印方向に回動させる。
このとき、トリガー部４の穴部１６ａをピストン部１３の凸部１６ｂに枢着し、本体部１のスプリング６をトリガー部４の引っ掛け部４ｂに屈曲した状態で当接し、ノズル部１５をノズル窓部４ａに嵌合することにより、第１部材５０に対する第２部材５１の位置が決められたトリガー式スプレイヤー１００が得られる。
【００４２】
このように、上記トリガー式スプレイヤー１００の製造方法においては、組み付け工数が少なくてすむので、組み付けが極めて容易である。
【００４３】
以上、本発明の好適な実施形態について説明したが、本発明は上記実施形態に限定されるものではない。
【００４４】
例えば、本実施形態に係るトリガー式スプレイヤー１００において、トリガー部４には、ノズル窓部４ａを封止するノズル蓋２０が取り付けられているが、ノズル蓋２０は必ずしも備える必要はない。
【００４５】
本実施形態に係るトリガー式スプレイヤー１００において、スプリング６は、板状となっているが、トリガー部に復帰力を与えるものであればよく、コイル状、蛇状、バネ座金状等であってもよい。
【００４６】
本実施形態に係るトリガー式スプレイヤー１００において、Ｆバルブ７ａ及びＳバルブ７ｂの形状は特に限定されない。
例えば、鋼球等であってもよい。
【産業上の利用可能性】
【００４７】
本発明のトリガー式スプレイヤーは、トリガーを引くことにより、容器内の液体を噴霧する装置として好適に用いられる。
本発明のトリガー式スプレイヤーによれば、部品点数を減らすことができ、組み付けが容易である。
【符号の説明】
【００４８】
１・・・本体部
１ａ・・・突起部
１ｂ・・・枢着部
２・・・キャップ部
３・・・シリンダ部
４・・・トリガー部
４ａ・・・ノズル窓部
４ｂ・・・引っ掛け部
６・・・スプリング
７ａ・・・Ｆバルブ部
７ｂ・・・Ｓバルブ部
９・・・チューブ部
１２・・・液体流通部
１２ａ・・・リブ
１３・・・ピストン部
１４・・・スピンナー部
１５・・・ノズル部
１６ａ・・・穴部
１６ｂ・・・凸部
２０・・・ノズル蓋
５０・・・第１部材
５１・・・第２部材
１００・・・トリガー式スプレイヤー
【図１】
2013132592.tif 000003
【図２】
2013132592.tif 000004
【図３】
2013132592.tif 000005